(57)【特許請求の範囲】
【請求項１】
ラジオライトからなる、ＳｉＯ2 ；８０〜９０重量％、Ａｌ2 Ｏ3 ；７〜１１重量％、ＣａＯ；０．６５〜０．９３重量％、Ｆｅ2 Ｏ3  ；０．６〜１．３１重量％、ＭｇＯ；０．１５〜０．８５重量％、Ｋ2 Ｏ；３〜３．５重量％、ＴｉＯ2 ；０．１５〜０．３重量％およびＮａ2Ｏ ；０．８〜２．２重量％を含む多孔質のセラミック粉末と、前記セラミック粉末および生ゴミを分解促進材とともに混合するための混合攪拌槽と、前記混合撹拌槽の内部を４０〜５０℃に保つための手段とを有し、ｐＨ３〜４で生ゴミを分解する生ゴミ処理機。
【請求項２】
前記セラミック粉末は５〜５００μｍの平均粒径を有していることを特徴とする請求項１に記載の生ゴミ処理機。
【請求項３】
前記分解促進材はおが屑またはコーヒー豆であることを特徴とする請求項１または２に記載の生ゴミ処理機。
【請求項４】
ラジオライトからなる、ＳｉＯ2 ；８０〜９０重量％、Ａｌ2 Ｏ3 ；７〜１１重量％、ＣａＯ；０．６５〜０．９３重量％、Ｆｅ2 Ｏ3  ；０．６〜１．３１重量％、ＭｇＯ；０．１５〜０．８５重量％、Ｋ2 Ｏ；３〜３．５重量％、ＴｉＯ2 ；０．１５〜０．３重量％およびＮａ2Ｏ ；０．８〜２．２重量％を含む多孔質のセラミック粉末を用意し、前記セラミック粉末に細菌を繁殖させるとともに、４０℃〜５０℃において前記セラミック粉末を生ゴミおよび分解促進材と混合して、ｐＨ３〜４で生ゴミを分解する生ゴミ分解方法。
【発明の詳細な説明】
【０００１】
【発明の属する技術分野】
本発明は、生ゴミを分解するための技術に関する。
【０００２】
【従来の技術】
従来より、生ゴミを微生物で分解する技術が存在した。このような技術の一例として、直径が数ミリのセラミック製ボールとともに生ゴミを撹拌槽の内部で混合することによって生ゴミを分解する装置が考案されているが、この装置は完全に生ゴミを分解するのに相当の時間を必要とする。
【０００３】
【発明が解決しようとする課題】
そこで、本発明は、生ゴミを簡単且つ急速に分解する新規な技術を提供することを課題とする。
【０００４】
【課題を解決するための手段】
本発明者等は上記の課題を解決するため種々検討を重ねた結果、ＳｉＯ2 ；８０〜９０重量％、Ａｌ2 Ｏ3 ；７〜１１重量％、ＣａＯ；０．６５〜０．９３重量％、Ｆｅ2 Ｏ3  ；０．６〜１．３１重量％、ＭｇＯ；０．１５〜０．８５重量％、Ｋ2 Ｏ；３〜３．５重量％、ＴｉＯ2 ；０．１５〜０．３重量％およびＮａ2Ｏ ；０．８〜２．２重量％を含む多孔質のセラミック粉末であって、前記セラミック粉末は細菌が繁殖するようになっており、前記セラミック粉末は４０〜５０℃において生ゴミとともに混合されて前記生ゴミを分解することを特徴とするセラミック粉末を使用することによって解決できることを見いだした。以下に本発明を詳細に説明する。
【０００５】
本発明においては、使用されるセラミック粉末は、ＳｉＯ2  、Ａｌ2 Ｏ3 、ＣａＯ、Ｆｅ2 Ｏ3  、ＭｇＯ、Ｋ2 Ｏ、ＴｉＯ2およびＮａ2Ｏ  から成るものであり、さらに詳しくは、このセラミック粉末は以下の組成を有している。
ＳｉＯ2 ；８０〜９０重量％、好ましくは８４．１４〜８７．１重量％、Ａｌ2 Ｏ3 ；７〜１１重量％、好ましくは８．１６〜１０．４重量％、ＣａＯ；０．６５〜０．９３重量％、好ましくは０．７１〜０．８８重量％、Ｆｅ2 Ｏ3 ；０．６５〜１．３１重量％、好ましくは０．７６〜１．１６重量％、ＭｇＯ；０．１５〜０．８５重量％、好ましくは０．２１〜０．８重量％、Ｋ2 Ｏ；３〜３．５重量％、好ましくは３．２９〜３．３９重量％、ＴｉＯ2；０．１５〜０．３重量％、好ましくは０．２２〜０．２４重量％、Ｎａ2Ｏ；０．８〜２．２重量％、好ましくは１．０４〜１．９４重量％
【０００６】
上記のセラミック粉末は、好ましくは５〜５００μｍの平均粒径を有している多孔質のものである。本発明においては、このような多孔質のセラミック粉末を使用することによって、多孔質の内部に生ゴミを分解するための微生物が効率的に繁殖して、これによって生ゴミを有効かつ急速に分解することができる。
【０００７】
本発明で使用するセラミック粉末は、特にラジオライトの使用が好ましく、このラジオライトはケイソウ殻を原料とする焼成物である。
【０００８】
ここで、本発明によると、特に好適に使用されるラジオライトは次の特性を有している。本発明においてセラミック粉末として使用されるラジオライトのケーク嵩密度は、特に限定されないが、好ましくは本発明のラジオライトは、０．２７〜０．５０（ｇ／ｃm 3 ）を有している。また、本発明においてセラミック粉末として使用されるラジオライトの平均粒子径は、特に限定されないが、好ましくは本発明のラジオライトは、レーザー法によって測定された場合において、１２．８〜７４．９μm の平均粒子径を有している。また、本発明においてセラミック粉末として使用されるラジオライトの透過率は、特に限定されないが、好ましくは本発明のラジオライトは、０．０４〜１７の透過率を有している。
【０００９】
上記のセラミック粉末の仕込み量は特に限定されないが、好ましくは、生ゴミ１重量部に対して、好ましくは０．１〜２重量部、さらに好ましくは０．１５〜１重量部、最適には０．２〜０．６重量部仕込まれる。
【００１０】
また、本発明によると、上記のセラミック粉末とともに、更に、おが屑やコーヒー豆のカスどの分解促進材が撹拌槽の中に仕込まれる。このような分解促進材をセラミック粉末とともに撹拌槽の中に仕込むことによって、生ゴミは効率的に完全に分解されるようになる。このような分解促進材は、生ゴミ１重量部に対して、好ましくは０．５〜４重量部、さらに好ましくは１〜３重量部、最適には１．５〜２．５重量部仕込まれる。なお、分解促進材として使用されるおが屑の種類は、特に限定されないが、好適なおが屑は０．１〜２ミリ程度の粒径を有している。
【００１１】
撹拌槽内に仕込まれた上記の組成のセラミック粉末は、生ゴミと混合される。本発明において使用されるこの混合槽の内部は、酸性状態（ｐＨ３〜４）になっていることによって、生ゴミの分解が促進される。
【００１２】
また、本発明の混合槽の内部に存在する有機物の炭素と窒素の比率は、好ましくは５〜１００：１、さらに好ましくは１０〜４０：１、最適には１５〜２５：１になっている。これによって、生ゴミの分解は促進される。
【００１３】
また、本発明の混合槽に仕込まれる生ゴミの含水率は、好ましくは４０〜８０％、さらに好ましくは４５〜７５％、最適には５０〜７０％になっている。これによって、生ゴミの分解は促進される。このような生ゴミとしては、例えば果物、野菜、肉、魚身等が挙げられる。
【００１４】
本発明によると、多孔質のセラミック粉末および分解促進材が生ゴミを分解するための微生物や細菌のための母材となり、微生物や細菌の繁殖を促すとともに生ゴミを有効に分解することができる。なお、おが屑等の分解促進材も、生ゴミとともに徐々に分解されるので、系内に存在する分解促進材の量が著しく減少してきたら、分解促進材は補充される必要がある。
【００１５】
次に本発明を実施例に基づいて更に詳細に説明する。まず、内容積が約１５０リットルの撹拌室を有する撹拌機を用意する。この撹拌機は撹拌室の内部に複数個の回転する羽根が設けられており、撹拌室の内部に仕込まれた生ゴミをゆっくりと回転しながら混合するようになっている。そして、上記の撹拌室の内部に、ＳｉＯ2 ；８５．４４重量％、Ａｌ2 Ｏ3 ；９．５６重量％、ＣａＯ；０．７８重量％、Ｆｅ2 Ｏ3 ；０．９９重量％、ＭｇＯ；０．５５重量％、Ｋ2 Ｏ；３．３３重量％、ＴｉＯ2；０．２２重量％およびＮａ2Ｏ；１．５４重量％から成るセラミック粉末８ｋｇと、おが屑２０ｋｇと、生ゴミ２０ｋｇとを仕込んだ。本発明において使用した撹拌機の撹拌室は、４０℃〜５０℃の間の予めセットされた温度を終始維持するようになっているが、本実施例においては、４５℃に設定した。なお、撹拌室の羽根は、６０ｒｐｍで回転した。また、撹拌室内に存在する有機物中の炭素と窒素の比率が、好ましくは２０：１であった。
【００１６】
上記のようにして仕込まれた生ゴミは、時間の経過とともに分解が進行し、約１２０分経過後には、仕込まれた生ゴミは全て分解して消滅していた。
【００１７】
なお、分解時間は、仕込み量と仕込まれるゴミの種類に大きく依存する。例えば残飯、パン類、果物、肉、魚身および食物繊維などの比較的分解しやすいものは、２〜４時間程度で分解が完了するが、骨や割り箸などが混入していると分解が完了するまでに２４時間以上要する場合もある。